(57)【要約】【課題】時間帯別で利用するサービスを切替え、かつ、１つの端末装置で社用と私用の区別を実現すること。【解決手段】携帯端末１０は、勤務時間内か時間外か判断して識別番号を切り替え、電話番号管理センター装置に確認し、勤務時間内に勤務時間外の識別番号宛にかかってきた場合、または勤務時間外に勤務時間内の識別番号宛にかかってきた場合に録音を行う。【選択図】図１
2007228090.tif 000002
【特許請求の範囲】
【請求項１】
複数の自機識別番号を持ち、勤務時間内か時間外か判断して前記識別番号を切り替える手段と、
前記識別番号を管理するセンター装置に確認し、勤務時間内に勤務時間外の前記識別番号宛にかかってきた場合、または勤務時間外に勤務時間内の前記識別番号宛にかかってきた場合に自動で留守録として録音を行う手段とを備えることを特徴とする移動体通信端末。
【請求項２】
前記移動体通信端末は、前記センター装置に確認し、勤務時間内に勤務時間外の前記識別番号宛にかかってきた場合、または勤務時間外に勤務時間内の前記識別番号宛にかかってきた場合に着信があったことおよび留守録に録音を行ったことを電子メールにて通知する手段をさらに備えることを特徴とする請求項１記載の移動体通信端末。
【請求項３】
複数の自機識別番号を持つ移動体通信端末の前記識別番号を管理し、勤務時間内か時間外か判断して前記識別番号を切り替える移動体通信端末からの問い合わせに対して、勤務時間内に勤務時間外の前記識別番号宛にかかってきた場合、または勤務時間外に勤務時間内の前記識別番号宛にかかってきた場合を知らせることを特徴とするセンター装置。
【請求項４】
複数の自機識別番号を持つ移動体通信端末と前記識別番号を管理するセンター装置とを備える前記識別番号切替システムであって、
前記移動体通信端末は、勤務時間内か時間外か判断して前記識別番号を切り替える手段と、
前記センター装置に確認し、勤務時間内に勤務時間外の前記識別番号宛にかかってきた場合、または勤務時間外に勤務時間内の前記識別番号宛にかかってきた場合に自動で留守録として録音を行う手段と、を備え、
時間帯に応じたサービスを提供することを特徴とする識別番号切替システム。
【請求項５】
前記移動体通信端末は、前記センター装置に確認し、勤務時間内に勤務時間外の前記識別番号宛にかかってきた場合、または勤務時間外に勤務時間内の前記識別番号宛にかかってきた場合に着信があったことおよび留守録に録音を行ったことを電子メールにて通知する手段をさらに備えることを特徴とする請求項４記載の識別番号切替システム。
【請求項６】
移動体通信端末が、勤務時間内か時間外か判断して複数の自機識別番号を切り替えるステップと、
前記識別番号を管理するセンター装置に確認し、勤務時間内に勤務時間外の前記識別番号宛にかかってきた場合、または勤務時間外に勤務時間内の前記識別番号宛にかかってきた場合に自動で留守録として録音を行うステップとを有することを特徴とする識別番号切替方法。
【請求項７】
前記移動体通信端末が、前記センター装置に確認し、勤務時間内に勤務時間外の前記識別番号宛にかかってきた場合、または勤務時間外に勤務時間内の前記識別番号宛にかかってきた場合に着信があったことおよび留守録に録音を行ったことを電子メールにて通知するステップをさらに有することを特徴とする請求項６記載の識別番号切替方法。
【請求項８】
コンピュータに、勤務時間内か時間外か判断して複数の自機識別番号を切り替える機能と、
前記識別番号を管理するセンター装置に確認し、勤務時間内に勤務時間外の前記識別番号宛にかかってきた場合、または勤務時間外に勤務時間内の前記識別番号宛にかかってきた場合に自動で留守録として録音を行う機能とを実現させることを特徴とするプログラム。
【請求項９】
コンピュータに、前記センター装置に確認し、勤務時間内に勤務時間外の前記識別番号宛にかかってきた場合、または勤務時間外に勤務時間内の前記識別番号宛にかかってきた場合に着信があったことおよび留守録に録音を行ったことを電子メールにて通知する機能をさらに実現させることを特徴とする請求項８記載のプログラム。
【発明の詳細な説明】
【技術分野】
【０００１】
本発明は、移動体通信端末の番号を時間帯によって切り替える技術に関する。
【背景技術】
【０００２】
携帯電話機などの移動体通信端末について、ユーザの利用目的は、勤務時間内に利用する主な目的はユーザの業務内容の連絡手段が大半であることに対し、勤務時間外の時間帯では個人利用が主な目的となるため、ｉ−ｍｏｄｅ（登録商標）利用などの情報収集としての手段として携帯電話機が使われるなど、時間帯によって利用形態が異なることがある。
【０００３】
ここで、複数の電話番号をもつ携帯電話機において、複数の電話番号と、これら電話番号での発呼や着信が許される使用可能地域、使用日時、相手先電話番号などの各種データとを対応させて登録する手段と、選択された電話番号での発呼や着信行われる際にその電話番号に対応するデータ条件であるか否かを判断する手段と、このデータ条件が満たされたときに発呼や着信を可能とし、満たされないときには他の電話番号についての判断を行って発呼や着信を可能とする手段とを備えることで、複数の電話番号を有する携帯電話機において、切り替えられた電話番号での通話を制限し、各電話番号のそれぞれにおいて適切な使用を可能とする技術がある（例えば、特許文献１）。
【特許文献１】特開平０８−１６７９３６号公報
【発明の開示】
【発明が解決しようとする課題】
【０００４】
しかしながら、上述した従来例においては次のような問題点があった。
【０００５】
従来のシステムでは勤務時間内と時間外では携帯電話の利用目的が異なるなど、ユーザが必要とするサービス（コンテンツ）が利用時間帯によって異なる場合にひとつの携帯電話では柔軟に対応できなく。また、１つの端末装置では、社用と私用を使い分けることが困難であった。
【０００６】
本発明は、以上説明した事情に鑑みてなされたものであり、その目的は、時間帯別で利用するサービスを切替え、かつ、１つの端末装置で社用と私用の区別を実現することにある。
【課題を解決するための手段】
【０００７】
上記課題を解決するために、本発明は、複数の自機識別番号を持ち、勤務時間内か時間外か判断して識別番号を切り替える手段と、
識別番号を管理するセンター装置に確認し、勤務時間内に勤務時間外の識別番号宛にかかってきた場合、または勤務時間外に勤務時間内の識別番号宛にかかってきた場合に自動で留守録として録音を行う手段とを備える移動体通信端末を提供する。
【０００８】
また、本発明は、複数の自機識別番号を持つ移動体通信端末の識別番号を管理し、勤務時間内か時間外か判断して識別番号を切り替える移動体通信端末からの問い合わせに対して、勤務時間内に勤務時間外の識別番号宛にかかってきた場合、または勤務時間外に勤務時間内の識別番号宛にかかってきた場合を知らせるセンター装置を提供する。
【０００９】
また、本発明は、複数の自機識別番号を持つ移動体通信端末と識別番号を管理するセンター装置とを備える識別番号切替システムであって、
移動体通信端末は、勤務時間内か時間外か判断して識別番号を切り替える手段と、
センター装置に確認し、勤務時間内に勤務時間外の識別番号宛にかかってきた場合、または勤務時間外に勤務時間内の識別番号宛にかかってきた場合に自動で留守録として録音を行う手段と、を備え、
時間帯に応じたサービスを提供する識別番号切替システムを提供する。
【００１０】
また、本発明は、移動体通信端末が、勤務時間内か時間外か判断して複数の自機識別番号を切り替えるステップと、
識別番号を管理するセンター装置に確認し、勤務時間内に勤務時間外の識別番号宛にかかってきた場合、または勤務時間外に勤務時間内の識別番号宛にかかってきた場合に自動で留守録として録音を行うステップとを有する識別番号切替方法を提供する。
【００１１】
また、本発明は、コンピュータに、勤務時間内か時間外か判断して複数の自機識別番号を切り替える機能と、
識別番号を管理するセンター装置に確認し、勤務時間内に勤務時間外の識別番号宛にかかってきた場合、または勤務時間外に勤務時間内の識別番号宛にかかってきた場合に自動で留守録として録音を行う機能とを実現させるプログラムを提供する。
【発明の効果】
【００１２】
本発明によれば、時間帯別で利用するサービスを切替え、かつ、１つの端末装置で社用と私用の区別を実現することができる。
【発明を実施するための最良の形態】
【００１３】
以下、本発明の実施の形態について図面を参照して詳細に説明する。図１を参照すると、本実施の形態における電話番号切替システムは、携帯端末１０と基地局２０と、電話番号管理センター装置３０とから構成されている。
【００１４】
携帯端末１０は２つの電話番号を有する携帯端末装置であり、発信時に基地局１０に勤務時間内か時間外かを問い合わせる機能を備えている。
【００１５】
基地局２０は電話番号情報をもとに電話番号管理センター装置３０に利用時間帯か否かの問い合わせを行う機能を備えている。
【００１６】
電話番号管理センター装置３０は勤務時間内と時間外それぞれに対応する電話番号を管理する機能を備えている。また、留守録として録音する機能を有し、かつ電子メールにて携帯端末１０宛に録音したことを通知する機能を備えている。
【００１７】
次に、本実施の形態における処理動作を図２から図４に示すタイムチャートを参照して以下に詳細に説明する。
【００１８】
まず、発信時のフローは以下のとおりである。図２を参照すると、発信する前に携帯端末１０は、保持している２つの自局の電話番号のどちらかを使用して、基地局２０に現在時刻の電話番号の問い合わせを行う（ステップＡ１）。
【００１９】
問い合わせを受けた基地局２０は、電話番号管理センター装置３０に現在時刻の電話番号についての問い合わせを行い、返ってきた結果を携帯端末１０に返す(ステップＡ２)。
【００２０】
携帯端末１０は基地局２０の回答内容に応じて、電話番号をセットし、時間帯に応じたＯｐｅｒＡｔｉｏｎ画面を表示する（ステップＡ３）。
【００２１】
この後は従来の発信と同様の処理を行う(ステップＡ４)。
【００２２】
着信時の際は、図３を参照すると、基地局２０は電話番号管理センター装置３０に着信先の電話番号が利用時間帯であるかの問い合わせを行う(ステップＡ５)。
【００２３】
電話番号管理センター装置３０は問い合わせのあった電話番号が適切な時間帯か否かの判断を行い、適切な時間帯であれば、基地局２０に接続可能の旨の回答を行う(ステップＡ６)。
【００２４】
基地局２０はこの回答を受けて、携帯端末１０と接続する。(ステップＡ７)。
【００２５】
一方、図４を参照すると、電話番号管理センター装置３０での時間帯確認の判断において適切な時間帯ではないと判断した場合は基地局２０に接続不可の回答を行い、発信元に時間外である旨の通知を行うと同時に留守録の入力を促す(ステップＡ８)。
【００２６】
留守録の録音が行われると電話番号管理センター装置３０は録音されたことを携帯端末１０宛にメール送信を行う(ステップＡ９)。
【００２７】
本実施の形態によれば、ひとつの携帯端末で時間帯に応じたサービスをユーザに提供でき、電話番号が異なることから社用と私用を容易に使い分けることを可能にするという効果がある。
【００２８】
なお、上述する実施の形態は、本発明の好適な実施の形態であり、本発明の要旨を逸脱しない範囲内において種々変更実施が可能である。例えば、上記の実施の形態における携帯端末１０、基地局２０および電話番号管理センター装置３０の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００２９】
上述する実施の形態は、携帯端末１０、基地局２０および電話番号管理センター装置３０が別個に接続されているシステム構成について説明したが、各機能が１つのコンピュータシステムとして実現されている構成や機能毎に複数の装置などが追加された構成にも適用可能であることはもちろんである。
【図面の簡単な説明】
【００３０】
【図１】本発明の実施形態における電話番号切替システムの概略構成図である。
【図２】本発明の実施形態における発信時の処理動作を示すフタイムチャートである。
【図３】本発明の実施形態における着信時の処理動作を示すフタイムチャートである。
【図４】本発明の実施形態における着信時の処理動作を示すフタイムチャートである。
【符号の説明】
【００３１】
１０    携帯端末
２０    基地局
３０    電話番号管理センター装置
【図１】
2007228090.tif 000003
【図２】
2007228090.tif 000004
【図３】
2007228090.tif 000005
【図４】
2007228090.tif 000006